(57)【要約】      （修正有）【課題】電源プラグやケーブル類等の部品取付用の留め具に関し、操作部を傾動させることにより、バンドのロック状態を解除することができる。【解決手段】ベース４０には、バンド７０、差込溝６１、差込溝の内外に延びるプレート部材１１０、ベースに一端部が固定され、他端部がプレート部材の長さの途中に連結され、プレート部材を傾動可能に支持するとともに、傾動の角度を一定の位置に維持する支持バネ１２０、プレート部材の一端部に位置し、差込溝に差し込まれたバンドに向かって、支持バネのバネ力により弾性的に突出し、差込溝中にバンドをロックするロック爪、プレート部材の他端部に位置し、ロック爪をバンドから離隔する方向に操作可能な操作部１１２を備える。【選択図】図１
2012064518.tif 000002
【特許請求の範囲】
【請求項１】
部品を取り付け可能なベースと、
前記ベースから垂下し、パネルに設けられた貫通孔に挿入され、当該パネルの裏面に当接する支持脚とを備える部品取付用の留め具において、
前記ベースには、
一端部が前記ベースに固定され、他端部である自由端部を前記部品に巻き付け可能なバンドと、
前記バンドの前記自由端部を差し込み可能な差込溝と、
前記差込溝の内外に延びるプレート部材と、
前記ベースに一端部が固定され、他端部が前記プレート部材の長さの途中に連結され、当該プレート部材を傾動可能に支持するとともに、前記傾動の角度を一定の位置に維持する支持バネと、
前記プレート部材の一端部に位置し、前記差込溝に差し込まれた前記バンドに向かって、前記支持バネのバネ力により弾性的に突出し、当該差込溝中に前記バンドをロックするロック爪と、
前記プレート部材の他端部に位置し、前記ロック爪を前記バンドから離隔する方向に操作可能な操作部とを備えていることを特徴とする部品取付用の留め具。
【請求項２】
請求項１に記載の部品取付用の留め具であって、
前記操作部は、
前記差込溝に前記バンドを差し込む差込方向の前方に位置させていることを特徴とする部品取付用の留め具。
【請求項３】
請求項２に記載の部品取付用の留め具であって、
前記操作部は、
前記差込方向に対して平行に位置させ、前記バンドに接近する方向への押し込み操作により、前記バンドの前記ロック状態を解除することができるようにしていることを特徴とする部品取付用の留め具。
【請求項４】
請求項１に記載の部品取付用の留め具であって、
前記操作部は、
前記差込溝に前記バンドを差し込む差込方向に対して、直交する向きに位置させていることを特徴とする部品取付用の留め具。
【発明の詳細な説明】
【技術分野】
【０００１】
この発明は、例えば電源プラグやケーブル類等の部品を、ＴＶ等の背面のパネルに留め付けておくための留め具に関し、操作部を傾動させることにより、バンドのロック状態を解除することができるようにしたものである。
【背景技術】
【０００２】
従来、ケーブルのバンドを巻き付け、当該バンドの先端部を挿通溝に差し込み、ロック片と鋸歯部とを嵌合させることで、バンドを挿通溝内にロック可能な固定具が知られている（例えば特許文献１の段落番号「００１７」及び図５参照）。
【先行技術文献】
【特許文献】
【０００３】
【特許文献１】特許第3938754号公報
【発明の概要】
【発明が解決しようとする課題】
【０００４】
しかし、上記した従来の固定具では、バンドのロックの解除について考慮させておらず、仮にロック状態を解除する際には、ロック片に爪やドライバーを引っ掛けて、鋸歯部から離れる方向に移動させ、その状態でバンドを挿通溝から引く抜いたり、或いは緩める等する必要あり、バンドのロック状態の解除が困難で、又、面倒であるという問題点があった。
【０００５】
そこで、各請求項にそれぞれ記載された各発明は、上記した従来の技術の有する問題点に鑑みてなされたものであり、その目的とするところは、次の点にある。
（請求項１）
請求項１に記載の発明は、次の点を目的とする。
すなわち、請求項１に記載の発明は、操作部を傾動させることにより、バンドのロック状態を解除することができるようにしたものである。
（請求項２）
請求項２に記載の発明は、上記した請求項１に記載の発明の目的に加え、次の点を目的とする。
【０００６】
すなわち、請求項２に記載の発明は、差込溝へのバンドの差し込み動作に関連した位置に、操作部を配置することができるようにしたものである。
また、請求項２に記載の発明は、操作部を操作する際に、バンドが邪魔にならないようにすることができるようにしたものである。
（請求項３）
請求項３に記載の発明は、上記した請求項２に記載の発明の目的に加え、次の点を目的とする。
【０００７】
すなわち、請求項３に記載の発明は、バンドに接近する方向に操作部を押し込むことで、バンドのロック状態を解除することができるようにしたものである。
（請求項４）
請求項４に記載の発明は、上記した請求項１に記載の発明の目的に加え、次の点を目的とする。
【０００８】
すなわち、請求項４に記載の発明は、差込溝にバンドを差し込む差込方向に対して、直交する向きに、操作部を配置することができるようにしたものである。
【課題を解決するための手段】
【０００９】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１０】
第１に、部品取付用の留め具(10)には、例えば図１、図２、図１７及び図１８に示すように、次の構成を備える。
（１）ベース(40)
ベース(40)は、例えば図２及び図１８に示すように、部品（例えば電源プラグ30や電源ケーブル31）を取り付け可能なものである。
【００１１】
（２）支持脚(50)
支持脚(50)は、例えば図１、図２、図１７及び図１８に示すように、ベース(40)から垂下し、パネルに設けられた貫通孔に挿入され、当該パネルの裏面に当接するものである。
第２に、ベース(40)には、例えば図１、図３〜６、図１７、図１８及び図２３に示すように、次の構成を備える。
【００１２】
（３）バンド(70)
バンド(70)は、例えば図１、図３〜６、図１７、図１８及び図２３に示すように、一端部がベース(40)に固定され、他端部である自由端部を部品（例えば電源プラグ30）に巻き付け可能なものである。
（４）差込溝(61)
差込溝(61)は、例えば図９、図１０及び図２３に示すように、バンド(70)の自由端部を差し込み可能なものである。
【００１３】
（５）プレート部材(110)
プレート部材(110)は、例えば図９、図１０及び図２３に示すように、差込溝(61)の内外に延びるものである。
（６）支持バネ(120)
支持バネ(120)は、例えば図９、図１０及び図２３に示すように、ベース(40)に一端部が固定され、他端部がプレート部材(110)の長さの途中に連結され、当該プレート部材(110)を傾動可能に支持するとともに、傾動の角度を一定の位置に維持するものである。
【００１４】
（７）ロック爪(111)
ロック爪(111)は、例えば図９、図１０及び図２３に示すように、プレート部材(110)の一端部に位置し、差込溝(61)に差し込まれたバンド(70)に向かって、支持バネ(120)のバネ力により弾性的に突出し、当該差込溝(61)中にバンド(70)をロックするものである。
【００１５】
（８）操作部(112)
操作部(112)は、例えば図９、図１０及び図２３に示すように、プレート部材(110)の他端部に位置し、ロック爪(111)をバンド(70)から離隔する方向に操作可能なものである。
（請求項２）
請求項２に記載の発明は、上記した請求項１に記載の発明の特徴点に加え、次の点を特徴とする。
【００１６】
すなわち、操作部(112)は、例えば図９、図１０及び図２３に示すように、差込溝(61)にバンド(70)を差し込む差込方向の前方に位置させている。
（請求項３）
請求項３に記載の発明は、上記した請求項２に記載の発明の特徴点に加え、次の点を特徴とする。
【００１７】
すなわち、操作部(112)は、例えば図９、図１０及び図２３に示すように、差込方向に対して平行に位置させ、バンド(70)に接近する方向への押し込み操作により、バンド(70)のロック状態を解除することができるようにしている。
（請求項４）
請求項４に記載の発明は、上記した請求項１に記載の発明の特徴点に加え、次の点を特徴とする。
【００１８】
すなわち、操作部(221)は、図２４〜２９に示すように、差込溝（図示せず）にバンド(70)を差し込む差込方向に対して、直交する向きに位置させている。
【発明の効果】
【００１９】
本発明は、以上のように構成されているので、以下に記載されるような効果を奏する。
（請求項１）
請求項１に記載の発明によれば、次のような効果を奏する。
すなわち、請求項１に記載の発明によれば、操作部を傾動させることにより、バンドのロック状態を解除することができる。
（請求項２）
請求項２に記載の発明によれば、上記した請求項１に記載の発明の効果に加え、次のような効果を奏する。
【００２０】
すなわち、請求項２に記載の発明によれば、差込溝へのバンドの差し込み動作に関連した位置に、操作部を配置することができる。
また、請求項２に記載の発明によれば、操作部を操作する際に、バンドが邪魔にならないようにすることができる。
（請求項３）
請求項３に記載の発明によれば、上記した請求項２に記載の発明の効果に加え、次のような効果を奏する。
【００２１】
すなわち、請求項３に記載の発明によれば、バンドに接近する方向に操作部を押し込むことで、バンドのロック状態を解除することができる。
（請求項４）
請求項４に記載の発明によれば、上記した請求項１に記載の発明の効果に加え、次のような効果を奏する。
【００２２】
すなわち、請求項４に記載の発明によれば、差込溝にバンドを差し込む差込方向に対して、直交する向きに、操作部を配置することができる。
【図面の簡単な説明】
【００２３】
【図１】パネルに装着した状態の留め具の斜視図である。
【図２】留め具の使用状態を説明するための概略斜視図である。
【図３】留め具の斜視図である。
【図４】留め具の左側面図である。
【図５】留め具の正面図である。
【図６】留め具の右側面図である。
【図７】留め具の底面図である。
【図８】留め具の平面図である。
【図９】留め具の一部断面図である。
【図１０】図４のＡ−Ａ線に沿う断面図である。
【図１１】図７のＢ−Ｂ線に沿う断面図である。
【図１２】図１１のＣ部の拡大図である。
【図１３】図４のＤ−Ｄ線に沿う断面図である。
【図１４】図８のＥ部の拡大図である。
【図１５】図４のＦ部の拡大図である。
【図１６】図６のＣ−Ｃ線に沿う断面図である。
【図１７】留め具の使用状態を説明するための側面図である。
【図１８】留め具の使用状態を説明するための一部を断面にした正面図である。
【図１９】パネルに取り付けた状態の支持脚の断面図である。
【図２０】パネルから取り外す際の支持脚の断面図である。
【図２１】ベースの一部斜視図である。
【図２２】図１８のＨ−Ｈ線に沿う断面図である。
【図２３】ロック爪とロック溝との係合状態を説明するための説明図である。
【図２４】本発明の第２の実施の形態を示し、同図はパネルに装着した状態の留め具の斜視図である。
【図２５】ベース本体の一部を切断した留め具の斜視図である。
【図２６】ベース本体の一部を切断した留め具の正面図である。
【図２７】留め具の一部を拡大した斜視図である。
【図２８】留め具の使用状態を説明するための側面図である。
【図２９】留め具の使用状態を説明するための一部を断面にした正面図である。
【図３０】本発明の第３の実施の形態を示し、留め具の使用状態を説明するための側面図である。
【発明を実施するための形態】
【００２４】
（留め具10）
図１中、10は留め具を示し、当該留め具10により、図２に示すように、パネルの一例であるＴＶの背面のパネル20に、部品の一例である電源プラグ30を固定したり、或いは電源ケーブル31を結束するのに使用される。
なお、パネルとして、ＴＶの背面のパネル20を例示したが、これに限定されない。また、部品として、電源プラグ30や電源ケーブル31を例示したが、これらに限定されない。
【００２５】
ＴＶ20の背面には、図１８〜２０に示すように、留め具10を取り付けるための貫通孔21を設けている。貫通孔21は、ＴＶ20の背面のパネル20の表裏面に貫通するとともに、その内縁には裏面に向かって断面Ｌ字形に突出した突縁部22を設けている。
具体的には、留め具10は、図１及び図３〜６に示すように、大別すると、次の各部を備え、適度な弾性と剛性とを有する熱可塑性の合成樹脂により一体的に成形されている。
【００２６】
なお、次の（１）及び（２）については、後述する。
（１）ベース40
（２）支持脚50
なお、留め具10の各部は、上記した（１）及び（２）に限定されない。
（ベース40）
ベース40は、図１８に示すように、部品の一例である電源プラグ30を取り付け可能なものである。
【００２７】
具体的には、ベース40は、図１及び図３〜６に示すように、大別すると、次の各部を備える。
なお、次の（１）及び（２）については、後述する。
（１）ベース本体60
（２）バンド70
なお、ベース40の各部は、上記した（１）及び（２）に限定されない。
（支持脚50）
支持脚50は、図１及び図１７〜２０に示すように、ベース40から垂下し、パネル20に設けられた貫通孔21に挿入され、当該パネル20の裏面に当接するものである。
【００２８】
具体的には、支持脚50は、図１及び図３〜１１に示すように、大別すると、次の各部を備える。
なお、次の（１）〜（３）については、後述する。
（１）弾性爪80,81
（２）バネ部材90,91
（３）操作部材100,101
なお、支持脚50の各部は、上記した（１）〜（３）に限定されない。
（ベース本体60）
ベース本体60は、図１、図３〜６及び図９〜１１に示すように、略角筒形に形成され、両端部が横向きに開放し、中空内部が後述するバンド70の自由端部を差し込み可能な差込溝61となっている。
【００２９】
具体的には、ベース本体60は、図９〜１１に示すように、差込溝61のほか、次の各部を備える。
なお、次の（１）及び（２）については、後述する。
（１）プレート部材110
（２）支持バネ120
なお、ベース本体60の各部は、上記した（１）及び（２）に限定されない。
（バンド70）
バンド70は、図１及び図３〜６に示すように、一端部がベース本体60に固定され、図１８に示すように、他端部である自由端部を部品の一例である電源プラグ30や電源ケーブル31に巻き付け可能なものである。
【００３０】
具体的には、バンド70の一端部は、図３〜６に示すように、ベース本体60の上壁の上面から上方に向かってほぼ垂直に延びている。バンド70の一端部は、ベース本体60の上壁のうち、バンド70の自由端部を差込溝61に差し込む差込方向を基準として、その後方側の端部に位置させている。
バンド70の表面、すなわち図１３の向かって右側の面には、後述するプレート部材110のロック爪111がはまり込むロック溝71を、バンド70の長さの方向に沿って複数設けている。
【００３１】
また、バンド70の自由端部には、図１３に示すように、凹凸からなる滑止部72を設けている。
（プレート部材110）
プレート部材110は、図９、図１０及び図２３に示すように、差込溝61の内外に延びるものであり、板状に形成されている。
【００３２】
プレート部材110は、図９、図１０及び図２３に示すように、次の各部を備える。
なお、次の（１）及び（２）については、後述する。
（１）ロック爪111
（２）操作部112
なお、プレート部材110の各部は、上記した（１）及び（２）に限定されない。
（支持バネ120）
支持バネ120は、図９及び図２３に示すように、ベース本体60に一端部、すなわち下端部が固定され、他端部の上端部がプレート部材110の下面の長さの途中に連結され、当該プレート部材110を傾動可能に支持するとともに、樹脂の弾性復元力を利用し、前記傾動の角度を一定の位置に維持するものである。
【００３３】
支持バネ120は、バンド70の差込方向を基準として、その前方に向かって断面Ｃ字形に湾曲している。
（ロック爪111）
ロック爪111は、図９、図１０及び図２３に示すように、プレート部材110の一端部に位置し、差込溝61に差し込まれたバンド70に向かって、支持バネ120のバネ力により弾性的に突出し、当該差込溝61中にバンド70をロックするものである。
【００３４】
ロック爪111は、バンド70の差込方向を基準として、プレート部材110の後端部に位置し、その下面から、差込溝61の底面に向かって断面が略直角三角形形に突出する。ロック爪111は、バンド70の差込方向を基準として、その後方に斜面を位置させ、前方に切り立った係止面を位置させている。ロック溝71は、ロック爪111と相補的な形状に形成され、ロック爪111の斜面と当接する斜面と、ロック爪111の係止面と当接する係止面を有する。
【００３５】
バンド70を差込溝61内に差し込み、その自由端部を差込溝61から引き出す際、すなわちバンド70が差込溝61を前進する際には、ロック爪111とロック溝71との斜面が互いに当接し、支持バネ120のバネ力に抗して、ロック爪111を押し上げ、或いは蹴り上げるようにして、ロック爪111の下側をロック溝71が通過する。
これに対し、バンド70を引き出す力を解放すると、支持バネ120のバネ力により、ロック爪111がロック溝71の一つに嵌り合って両者が噛み合う。この状態で、バンド70を差込溝61から引き抜こうとすると、すなわちバンド70が差込溝61を後退する際には、ロック爪111とロック溝71との切り立った係止面が互いに当接することで、差込溝61からのバンド70の抜けが阻止される。
（操作部112）
操作部112は、図９、図１０及び図２３に示すように、プレート部材110の他端部に位置し、ロック爪111をバンド70から離隔する方向に操作可能なものである。
【００３６】
操作部112は、バンド70の差込方向を基準として、支持バネ120を挟んで、プレート部材110の前端部に位置し、差込溝61の開放前面から突出する。
操作部112には、図１及び図３〜６に示すように、凹凸からなる滑止部100a,101bを設けている。
（弾性爪80,81）
弾性爪80,81は、図１１に示すように、少なくとも一対あり、ベース40のベース本体60から垂下し、互いに離れて対向するのものである。
【００３７】
弾性爪80,81は、バンド70の差込方向を基準として、当該差込方向と直向する向きに対向する。弾性爪80,81の先端部は、斜面を背向させた断面直角三角形に形成されている。弾性爪80,81の斜面の頂点の間の間隔は、パネル20の貫通孔21の直径より大きく設定され、貫通孔21に挿入した際にベース本体60との間の基端部が撓むことで、互いに接近する方向に移動し、貫通孔21を縮径して通り抜ける。
（バネ部材90,91）
バネ部材90,91は、図３〜１０に示すように、少なくとも一対あり、ベース40のベース本体60から垂下し、パネル20の表面に弾性的に当接するものである。
【００３８】
バネ部材90,91は、図９及び図１０に示すように、両弾性爪80,81の対向方向と直行する方向に対向する。具体的には、バネ部材90,91は、バンド70の差込方向を基準として、弾性爪80,81を挟んで、当該差込方向の前後に方向に対向する。
バネ部材90,91は、図３〜６に示すように、全体として略パンタグラフ状に折れ曲がり、長さの途中に位置し、互いに外向きに略Ｖ字形或いは略Ｃ形に折れ曲がった左右一対の屈曲部90a,90b,91a,91bと、下端部に位置し、左右一対の屈曲部90a,90b,91a,91bを連結するとともに、左右外向きに棒状に長く延びる当接部90c,91cとを備え、当接部90c,91cの全長をパネル20の貫通孔21の直径より長く設定している。
（操作部材100,101）
操作部材100,101は、図１、図３〜６及び図１１に示すように、少なくとも一対あり、両バネ部材90,91の間隔内を通して、両弾性爪80,81の対向方向外向きにそれぞれ突出し、当該両弾性爪80,81を接近させる方向に操作可能であって、当該操作により両弾性爪80,81を貫通孔21中で縮径させるためのものである。
【００３９】
操作部材100,101は、図１１に示すように、両弾性爪80,81の長さの途中から外向きにブロック状に突出し、その外側端部を両バネ部材90,91の間隔内を通して外向きに突出させている。また、操作部材100,101の外面には、図１２に示すように、断面波形に起伏した滑止部100a,101bを設けている。
（留め具10の使用方法）
つぎに、上記した構成を有する留め具10の使用方法について説明する。
（パネル20への装着）
まず、留め具10をパネル20に装着するには、その支持脚50の弾性爪80,81を、図１７及び図１８に示すように、パネル20の表面側から貫通孔21に合わせて挿入すれば良い。
【００４０】
弾性爪80,81を貫通孔21に合わせて挿入すると、弾性爪80,81の外周が貫通孔21の内周に押され、両弾性爪80,81が互いに接近する方向に撓むことで、貫通孔21を通過する。両弾性爪80,81は、貫通孔21を通過後、樹脂の弾性復元力により復元することで、図１９に示すように、パネル20の裏面に当接し、貫通孔21から抜けなくなる。
このとき、両バネ部材90,91の当接部90c,91cが、パネル20の表面に押されて弾性力を蓄積し、図１７に示すように、パネル20の表面に弾性的に当接する。
【００４１】
このため、パネル20は、図１７〜１９に示すように、両バネ部材90,91の当接部90c,91cと両弾性爪80,81との間で挟み持たれ、留め具10の支持脚50が貫通孔21にがた付き無く取り付く。
なお、パネル20の板厚が変化した際にも、両バネ部材90,91が屈曲することで、板厚の変化を吸収するため、留め具10をパネル20の板厚が変化に左右されず、常にがた付き無く取り付けることができる。
（パネル20からの取り外し）
一方、パネル20に装着した留め具10を取り外すには、図２０に示すように、その支持脚50の操作部材100,101を互いに接近する方向に、指等により摘めば良い。
【００４２】
操作部材100,101を互いに接近する押し込むと、図２０に示すように、両弾性爪80,81が互いに接近する方向に撓む。このため、両弾性爪80,81の周囲の外周が縮径し、貫通孔21から引き抜くことができる。
（電源プラグ30の取り付け）
電源プラグ30を取り付ける際には、留め具10のバンド70を、図１８に示すように、電源プラグ30の外側に巻き付け、その自由端部をベース本体60の差込溝61に合わせて差し込め良い。
【００４３】
差込溝61に差し込むと、図２３に示すように、バンド70のロック溝71の一つにロック爪111が嵌り合うことで、差込溝61から抜ける方向に、バンド70が差込溝61内を逆進できなくなる。
バンド70の自由端部を差込溝61から引き出すと、電源プラグ30に巻き付けられたバンド70のループが次第に小さくなり、電源プラグ30の外面を締め付ける。
【００４４】
バンド70を引き出す力を解放すると、そのロック溝71の一つにロック爪111が嵌り合うことで、差込溝61内にバンド70がロックされる。
（電源プラグ30の取り外し）
一方、電源プラグ30を取り外す際には、プレート部材110の操作部112を、バンド70に接近する方向に押し上げれば良い。
このとき、操作部112は、目に付きやすい位置にあるため、簡単に操作部112を視認し、押すことができる。
【００４５】
操作部112を押し上げると、支持バネ120を中心にプレート部材110が傾動し、操作部112に対し、支持バネ120を挟んでプレート部材110の他端部に位置するロック爪111が、バンド70から離隔する方向に上昇する。このため、バンド70のロック溝71の一つにはまり込んでいたロック爪111が、当該ロック溝71から浮上し、バンド70のロック状態が解除される。このため、
バンド70を、差込溝61から引き抜く方向に移動させることで、電源プラグ30に巻き付けられたバンド70のループを次第に大きくでき、当該ループ内から電源プラグ30を取り外すことができる。なお、バンド70を、差込溝61から完全に引き抜いても良い。
（第２の実施の形態）
図２４〜２９を用いて、本発明の第２の実施の形態について説明する。
【００４６】
本実施の形態の特徴は、バンド70のロック状態を解除するための操作部221を、図２４〜２９に示すように、差込溝（図示せず）にバンド70を差し込む差込方向に対して、直交する向きに位置させている点である。
すなわち、ベース200は、差込溝（図示せず）を有するベース本体210と、ベース本体210に対して傾動可能に支持されたプレート部材220とを備える。プレート部材220は、断面Ｌ字形に折れ曲がり、一端部がバンド70の差込方向と平行に位置し、他端部が差込方向と直交する向き、すなわちバンド70と平行に位置する。
【００４７】
バンド70の差込方向と平行に位置する、プレート部材220の一端部には、図示しないが、バンド70のロック溝の一つに嵌り合って噛み合うロック爪を設けている。
バンド70と平行に位置する、プレート部材220の他端部には、操作部221を設けている。バンド70には、操作部221が通過可能な切欠部230を設けている。
なお、本実施の形態の説明において、先に図１〜２３を用いて説明した第１の実施の形態と同一の構成部分については、同一の符号を付して説明を省略する。
【００４８】
本実施の形態によれば、バンド70をベース本体210の差込溝（図示せず）に差し込むと、ロック爪（図示せず）がバンド70のロック溝（図示せず）の一つと噛み合い、ベース本体210の差込溝（図示せず）からバンド70が抜けなくなる。
一方、操作部221を、バンド70の切欠部230に向かって押し込むと、プレート部材220が傾動することで、反対側に位置するロック爪（図示せず）がロック溝（図示せず）から浮上する。このため、バンド70のロック状態が解除され、差込溝（図示せず）からバンド70を引き抜くことができるようになる。
【００４９】
操作部221を押す力を解放すると、樹脂の弾性復元力により、プレート部材220が戻り傾動する。
（第３の実施の形態）
図３０を用いて、本発明の第３の実施の形態について説明する。
本実施の形態の特徴は、先に図１〜２３を用いて説明した第１の実施の形態のベース40のバンド70を省き、図３０に示すように、２枚のパネル20,310を重合状態に固定することができるようにしたものである。
【００５０】
すなわち、ベース300は、図３０に示すように、板状に形成され、先に図１〜２３を用いて説明した第１の実施の形態のベース40のバンド70を省いたものである。支持脚50は、図３０に示すように、先に図１〜２３を用いて説明した第１の実施の形態の支持脚50と同一の構造を採用している。
部品は、図３０に示すように、第２のパネル310から構成する。第２のパネル310は、パネル20の表面に重なり合い、図示しないが、貫通孔（図示せず）に連通するとともに、支持脚50を挿入可能な連通孔を有する。
【００５１】
なお、本実施の形態の説明において、先に図１〜２３を用いて説明した第１の実施の形態と同一の構成部分については、同一の符号を付して説明を省略する。
本実施の形態によれば、パネル20と、第２のパネル310とを、図３０に示すように、上下に重ね合わせ、図示しないが、両者の貫通孔と連通孔とを整合させる。
つぎに、支持脚50の弾性爪80,81を、互いに連通した貫通孔と連通孔とに一連に挿入することで、バネ部材90,91の当接部90c,91cとの間に、パネル20と第２のパネル310とを重合状態に挟み持つことができる。
【符号の説明】
【００５２】
（第１の実施の形態）
10  留め具                  20  ＴＶの背面のパネル
21  貫通孔                  22  突縁部
30  電源プラグ（部品）      31  電源ケーブル（部品）
40  ベース                  50  支持脚
60  ベース本体              61  差込溝
70  バンド
71  ロック溝                72  滑止部
80,81  弾性爪               90,91  バネ部材
90a,90b,91a,91b  屈曲部     90c,91c  当接部
100,101  操作部材           100a,101b  滑止部
110  プレート部材
111  ロック爪               112  操作部
113  滑止部
120  支持バネ
（第２の実施の形態）
200  ベース                 210  ベース本体
220  プレート部             221  操作部
230  切欠部
（第３の実施の形態）
300  ベース                 310  第２のパネル
【図１】
2012064518.tif 000003
【図２】
2012064518.tif 000004
【図３】
2012064518.tif 000005
【図４】
2012064518.tif 000006
【図５】
2012064518.tif 000007
【図６】
2012064518.tif 000008
【図７】
2012064518.tif 000009
【図８】
2012064518.tif 000010
【図９】
2012064518.tif 000011
【図１０】
2012064518.tif 000012
【図１１】
2012064518.tif 000013
【図１２】
2012064518.tif 000014
【図１３】
2012064518.tif 000015
【図１４】
2012064518.tif 000016
【図１５】
2012064518.tif 000017
【図１６】
2012064518.tif 000018
【図１７】
2012064518.tif 000019
【図１８】
2012064518.tif 000020
【図１９】
2012064518.tif 000021
【図２０】
2012064518.tif 000022
【図２１】
2012064518.tif 000023
【図２２】
2012064518.tif 000024
【図２３】
2012064518.tif 000025
【図２４】
2012064518.tif 000026
【図２５】
2012064518.tif 000027
【図２６】
2012064518.tif 000028
【図２７】
2012064518.tif 000029
【図２８】
2012064518.tif 000030
【図２９】
2012064518.tif 000031
【図３０】
2012064518.tif 000032